(57)【要約】本発明は、上記非同期網基盤の移動通信サービスシステムから同期網基盤の移動通信サービスシステムへサービス切替を行う、非同期網と同期網との間のサービス切替のための移動通信システム及びその方法に関する。非同期網基盤の移動通信サービスシステムに障害が発生した場合、サービスが提供される全ての移動通信端末機に、非同期網基盤の移動通信サービスシステムから同期網基盤の移動通信サービスシステムへのサービス切替を要請する網切替メッセージをブロードキャスティングし、非同期網基盤の移動通信サービスシステムを切り替えることで、移動通信端末機は同期網基盤の移動通信サービスシステムからサービスの提供を受けることができ、より良質の移動通信サービスを提供できる効果がある。
2007536782.tif 000002
【特許請求の範囲】
【請求項１】
非同期網基盤の移動通信サービスシステム；同期網基盤の移動通信サービスシステム；及び、上記非同期網基盤の移動通信サービスシステムと同期網基盤の移動通信サービスシステムに無線接続して、それぞれの網品質及び網環境に適合した移動通信サービスの提供を受ける移動端末機；を含む非同期網と同期網との間のサービス切替のための移動通信サービスシステムにおいて、
上記非同期網基盤の移動通信サービスシステムは、
上記非同期網基盤の移動通信サービスシステムを監視し、上記システムに障害が発生すると、上記非同期網基盤の移動通信システムに接続して、上記同期網基盤の移動通信システムへのサービス切替を要請する網切替メッセージを、サービス中の全ての移動端末機に、上記非同期網基盤の移動通信システムを介してブロードキャスティングするＥＭＳ（Element Management System）を含むことを特徴とする、非同期網と同期網との間のサービス切替のための移動通信サービスシステム。
【請求項２】
上記サービスが音声基盤の呼サービスである場合、上記非同期網基盤の移動通信サービスシステムは、
上記同期網基盤の移動通信サービスシステムへのハンドオーバー要請メッセージを、上記移動端末機にブロードキャスティングすることを特徴とする、請求項１に記載の非同期網と同期網との間のサービス切替のための移動通信サービスシステム。
【請求項３】
上記サービスがデータパケットサービスである場合、上記非同期網基盤の移動通信サービスシステムは、
上記同期網基盤の移動通信サービスシステムへのサービス再発信（Service Redirection）メッセージを、上記移動端末機にブロードキャスティングすることを特徴とする、請求項１に記載の非同期網と同期網との間のサービス切替のための移動通信サービスシステム。
【請求項４】
上記サービス再発信メッセージは、
上記移動端末機が上記同期網基盤の移動通信サービスシステムへサービス再発信するのに必要な周波数情報及びＰＮコード情報を含むことを特徴とする、請求項３に記載の非同期網と同期網との間のサービス切替のための移動通信サービスシステム。
【請求項５】
上記移動端末機は、
同期網基盤の移動通信サービスの提供を受ける同期モデム部と、非同期網基盤の移動通信サービスの提供を受ける非同期モデム部の両方を含み、複数の周波数帯域を処理するマルチモードマルチバンド（Multi-Mode Multi-Band）端末機であることを特徴とする、請求項１〜４のうち何れか１項に記載の非同期網と同期網との間のサービス切替のための移動通信サービスシステム。
【請求項６】
（ａ）非同期網基盤の移動通信サービスシステムに障害が発生すると、ＥＭＳ（Element Management System）が、上記非同期網基盤の移動通信サービスシステムから移動通信サービスの提供を受けている全てのマルチモードマルチバンド端末機（Multi-Mode Multi-Band端末機、以下、ＭＭ−ＭＢ端末機）に対して、 同期網基盤の移動通信サービスシステムへの網切替を要請する段階；及び
（ｂ）上記ＭＭ−ＭＢ端末機が上記同期網基盤の移動通信サービスシステムに網切替を行う段階；を含むことを特徴とする、非同期網と同期網との間のサービス切替のための移動通信サービス方法。
【請求項７】
上記（ｂ）段階は、
（ｂ１）非同期モデム部が上記非同期網基盤の移動通信サービスシステムからハンドオーバー要請を受信する段階；
（ｂ２）上記非同期モデム部が同期モデム部にトラフィック遷移を行う段階；及び
（ｂ３）上記同期モデム部が上記同期網基盤の移動通信サービスシステムから同期を獲得した後、上記ハンドオーバー要請に対する完了メッセージを伝送する段階；を含むことを特徴とする、請求項６に記載の非同期網と同期網との間のサービス切替のための移動通信サービス方法。
【請求項８】
上記（ｂ）段階は、
（ｂ１）非同期モデム部が上記非同期網基盤の移動通信サービスシステムからサービス再発信（Service Redirection）メッセージを受信する段階；
（ｂ２）上記非同期モデム部が同期モデム部に遊休（Idle）状態への切替を要請する段階；
（ｂ３）上記同期モデム部がＬＰＭ（Low Power Mode）から遊休（Idle）状態に切り替わる段階；及び
（ｂ４）上記同期モデム部が上記同期網基盤の移動通信サービスシステムにパケット呼を再伝送する段階；を含むことを特徴とする、請求項６に記載の非同期網と同期網との間のサービス切替のための移動通信サービス方法。
【請求項９】
上記サービス再発信メッセージは、
上記同期モデム部が上記パケット呼を再伝送するのに必要な周波数情報及びＰＮコード情報を含むことを特徴とする、請求項８に記載の非同期網と同期網との間のサービス切替のための移動通信サービス方法。
【請求項１０】
上記（ｂ３）段階は、
上記同期モデム部が、上記同期網基盤の移動通信サービスシステムからパイロットチャンネルとの同期を獲得する段階を更に含むことを特徴とする、請求項８に記載の非同期網と同期網との間のサービス切替のための移動通信サービス方法。
【発明の詳細な説明】
【技術分野】
【０００１】
本発明は、移動通信サービスシステム及びその方法に関し、特に、非同期網を基盤とする移動通信システムから同期網を基盤とする移動通信システムへのサービス切替を行う、非同期網と同期網との間のサービス切替のための移動通信サービスシステム及びその方法に関する。
【背景技術】
【０００２】
移動通信サービスは、１９８０年代後半からサービスされ始めたアナログセルラー方式のＡＭＰＳ（Advanced Mobile Phone Service）にて提供する低品質の音声通話中心の第１世代移動通信サービスから始まり、持続的に発展している。
【０００３】
第２世代移動通信サービスでは、デジタルセルラー方式のＧＳＭ（Global System for Mobile）、ＣＤＭＡ（Code Division Multiple Access）、ＴＤＭＡ（Time Division Multiple Access）などにて提供する向上した音声通話及び低速（１４．４Ｋｂｐｓ）データサービスが可能であった。
【０００４】
また、第２．５世代移動通信サービスでは、ＧＨｚ帯の周波数の確保に加えて、全世界的に使用可能なＰＣＳ（Personal Communication Service）が開発されて、向上した音声通話と、低速（１４４Ｋｂｐｓ）ではあるもののデータサービスも可能になった。第２．５世代までの移動通信サービスのための移動通信網には、使用者端末機、基地局伝送機、基地局制御機、移動交換局、ホーム位置登録機（ＨＬＲ：Home Location Register）、訪問者位置登録機（ＶＬＲ：Visitor Location Register）などの各種通信装備が設けられている。
【０００５】
第３世代の移動通信サービスは、３ＧＰＰ（Generation Partnership Project）が主軸となって提案した非同期網基盤のＷＣＤＭＡシステムと、３ＧＰＰ２が主軸となって提案した同期網基盤のＣＤＭＡ−２０００システムとに分類されて提供されている。
【０００６】
上述したような移動通信技術の発展と通信網の進化につれて、多様な形態の移動通信サービスシステムが開発されてきており、最近は、各国家別の移動通信サービスシステム間のグローバルローミング（Roaming）問題を解決するために、非同期網基盤の移動通信サービスシステムと同期網基盤の移動通信サービスシステムの両方で使用することのできる移動通信端末機（Multi-Mode Multi-Band移動通信端末機、以下、ＭＭ−ＭＢ端末機）が開発されている。
【０００７】
このようなＭＭ−ＭＢ端末機においては、非同期網基盤の移動通信サービスシステムと同期網基盤の移動通信サービスシステムとが混在している地域で、同期網基盤の移動通信サービスシステムが安定的である場合、又は非同期網基盤の移動通信サービスシステムで網障害が発生した場合に、同期網基盤の移動通信サービスシステムへの切替が必要なケースが度々発生している。
【発明の開示】
【発明が解決しようとする課題】
【０００８】
本発明は、上述した事情を勘案して創出されたものであり、本発明の目的は、非同期網基盤の移動通信サービスシステムに障害が発生したり、同期網基盤の移動通信サービスシステムがより安定的である場合に、上記非同期網基盤の移動通信サービスシステムから同期網基盤の移動通信サービスシステムにサービス切替を行う、非同期網と同期網との間のサービス切替のための移動通信サービスシステム及びその方法を提供することにある。
【課題を解決するための手段】
【０００９】
上記目的を達成するための、本発明の望ましい実施例による非同期網と同期網との間のサービス切替のための移動通信サービスシステムは、非同期網基盤の移動通信サービスシステム；同期網基盤の移動通信サービスシステム；及び、上記非同期網基盤の移動通信サービスシステムと同期網基盤の移動通信サービスシステムに無線接続して、それぞれの網品質及び網環境に適合した移動通信サービスの提供を受ける移動端末機；を含み、上記非同期網基盤の移動通信サービスシステムは、上記非同期網基盤の移動通信サービスシステムを監視し、上記システムに障害が発生すると、上記非同期網基盤の移動通信システムに接続して、上記同期網基盤の移動通信システムへのサービス切替を要請する網切替メッセージを、サービス中の全ての移動端末機に、上記非同期網基盤の移動通信システムを介してブロードキャスティングするＥＭＳ（Element Management System）を含むことを特徴とする。
【００１０】
また、本発明の望ましい実施例による非同期網と同期網との間のサービス切替のための移動通信サービス方法は、（ａ）非同期網基盤の移動通信サービスシステムに障害が発生すると、ＥＭＳ（Element Management System）が、上記非同期網基盤の移動通信サービスシステムから移動通信サービスの提供を受けている全てのマルチモードマルチバンド端末機（Multi-Mode Multi-Band端末機、以下、ＭＭ−ＭＢ端末機）に対して、同期網基盤の移動通信サービスシステムへの網切替を要請する段階；及び、（ｂ）上記ＭＭ−ＭＢ端末機が上記同期網基盤の移動通信サービスシステムに網切替を行う段階；を含むことを特徴とする。
【発明の効果】
【００１１】
従って、本発明による非同期網から同期網へのサービス切替のための移動通信サービスシステム及びその方法を提供することで、非同期網基盤の移動通信サービスシステムに障害が発生した場合、 上記非同期網基盤の移動通信サービスシステムで音声呼又はパケット呼の設定中にある全ての移動通信端末機が、同期網基盤の移動通信サービスシステムへのサービス切替を行うことにより、加入者に良質の移動通信サービスを提供できる効果がある。
【発明を実施するための最良の形態】
【００１２】
以下、本発明の望ましい実施例について、添付図面を参照して詳しく説明する。
図１は、本発明の望ましい実施例による移動通信サービスシステムを示す構成図である。
【００１３】
図１に示すように、上記システムは、非同期網基盤の移動通信サービスシステム（以下、非同期移動通信システム）２００；同期網基盤の移動通信サービスシステム（以下、同期移動通信システム）；及び、上記非同期移動通信システム２００又は上記同期移動通信システムに無線接続して、音声及びデータサービスの提供を受けるマルチモードマルチバンド移動通信端末機（Multi-Mode Multi-Band移動通信端末機、以下、ＭＭ−ＭＢ端末機）１００；を含む。
【００１４】
非同期移動通信システム２００は、上記ＭＭ−ＭＢ端末機１００との無線区間通信のための基地局としてのノード（node）Ｂ、及び上記ノードＢを制御する無線網制御機（ノードＢ／ＲＮＣ（Ratio Network Controller））２１０；上記ノードＢ／ＲＮＣ２１０と連結されて、上記システムの形状及び構成情報の感知、システム障害感知、システム設定変更、システム状態監視などのような役割を果たすＥＭＳ（Elementary Management System）２６０；上記ノードＢ／ＲＮＣ２１０と連結されて、上記ＭＭ−ＭＢ端末機１００に音声及びデータサービスを提供するための呼交換を行う非同期交換機（Asynchronous MSC）２２０；Ｎｏ．７共通信号網２３０を介して上記非同期ＭＳＣ２２０と接続して、網資源及びサービスを管理するインテリジェントネットワーク制御機（Service Control Point（ＳＣＰ））２４０；上記ＲＮＣ２１０とＧＰＲＳ網２８０との間に連結されて、上記ＭＭ−ＭＢ端末機１００の位置トラックを維持し、音声信号と制御信号のアクセス制御及び保安機能を果たすＳＧＳＮ（Serving GPRS Support Node）２７０；上記ＳＧＳＮ２７０とＧＰＲＳ（General Packet Radio Service）網２８０を介して連結され、インターネットに接続されて外部パケットとの連動を支援するＧＧＳＮ（Gateway Support Node）２９０；を含む。例えば、ＷＣＤＭＡ網を上記非同期移動通信システム２００の例として挙げることができる。
【００１５】
また、同期移動通信システム３００は、上記ＭＭ−ＭＢ端末機１００との無線区間通信を支援する基地局（Base Transceiver Station（ＢＴＳ））、及び上記基地局を制御する基地局制御機（Base Station Controller（ＢＳＣ））；少なくとも一つ以上の上記ＢＴＳ／ＢＳＣ３１０と連結されて、呼交換を行う交換機（ＭＳＣ）３２０；上記交換機３２０とＮｏ．７共通信号網３３０を介して連結されるインテリジェントネットワーク制御機（Service Control Point（ＳＣＰ））３４０；上記ＳＣＰ３４０及びＢＴＳ／ＢＳＣ３１０と接続されて加入者にパケットデータサービスを提供するパケットデータサービスノード（Packet Data Service Node（ＰＤＳＮ））３６０；上記ＰＤＳＮ３６０と外部網４００（例えば、インターネット）との間の接続を支援するデータコア網（Data Core Network（ＤＣＮ））３７０；を含む。例えば、ＣＤＭＡ２０００網を上記非同期移動通信システム２００の例として挙げることができる。
【００１６】
一方、上記非同期移動通信システム２００及び同期移動通信システム３００の各交換機２２０，３２０は、Ｎｏ．７共通信号網２３０，３３０を介して互いに接続されて、上記ＭＭ−ＭＢ端末機１００のハンドオーバー等に必要な情報を互いに送受信する。また、ＨＬＲ２５０，３５０は、Ｎｏ．７共通信号網２３０，３３０に接続されて加入者情報及び上記加入者の付加サービス利用状況を保存／管理し、上記交換機２２０，３２０の要請に応じて上記加入者情報を提供する。
【００１７】
この時、ＥＭＳ２６０は、サービス使用者にインターフェースを提供し、非同期移動通信システム２００で障害が発生すると、上記非同期移動通信システム２００のサービス領域内に存在する全てのＭＭ−ＭＢ端末機１００が同期移動通信システム３００にサービス切替できるように、サービス切替要請メッセージをブロードキャスティングする。
【００１８】
また、ＭＭ−ＭＢ端末機１００は、同期網基盤の移動通信サービスを提供する同期式モードと、非同期網基盤の移動通信サービスを提供する非同期式モードとで相互切替が可能であり、帯域は８００ＭＨｚ（第２世代）、１．８ＧＨｚ（第２．５世代）、２ＧＨｚ（第３及び第４世代）などのようなマルチ帯域を処理できる。上記ＭＭ−ＭＢ端末機１００について、添付図面を参考してより詳しく説明する。
【００１９】
図２は、本発明の望ましい実施例によるＭＭ−ＭＢ端末機の構成図である。
図２に示すように、上記ＭＭ−ＭＢ端末機１００は、アンテナ１１０；非同期モジュール１２０；同期モジュール１３０；及び、共通モジュール１４０；を含む。
【００２０】
アンテナ１１０は、周辺のＢＴＳ／ＢＳＣ３１０から伝送されるＲＦ信号を受信し、同期網基盤の移動通信サービス及び非同期網基盤の移動通信サービスのためのＲＦ信号を送受信する。
【００２１】
非同期モジュール１２０は、マルチ帯域を介して受信された周波数を各帯域別に区分してバンドパス（Band Pass）するデュプレクサー（duplexer）１２１；受信されたマルチ帯域の上記周波数を、決まった周波数帯域に分離する非同期無線送受信部１２２；非同期移動通信システム２００との無線区間プロトコルを処理する非同期モデム部１２３；及び、音声信号の暗号化／復号化を行うボコーダー１２４；を含む。
【００２２】
同期モジュール１３０は、マルチ帯域を介して受信された周波数を各帯域別に区分してバンドパス（Band Pass）するデュプレクサー（duplexer）１３１；受信されたマルチ帯域の上記周波数を、決まった周波数帯域に分離する同期無線送受信部１３２；同期移動通信システム３００との無線区間プロトコルを処理する同期モデム部１３３；及び、音声信号の暗号化／復号化を行うボコーダー１３４；を含む。
【００２３】
一方、共通モジュール１４０は、上記非同期モデム部１２３及び同期モデム部１３３を制御するための中央処理装置として動作すると共に、マルチメディアデータを処理するアプリケーションプロセッサー（図示省略）、メモリ（図示省略）及び入出力部（図示省略）を含む。
【００２４】
このように構成されたＭＭ−ＭＢ端末機１００は、使用者インターフェース、付加サービス、移動性管理、接続／セッション制御、リソース制御、プロトコル処理のためのソフトウェアが搭載されて使用者が各種応用サービスを利用でき、通信網の環境に応じて適切なハンドオーバーを行い、該当通信網環境に応じてプロトコルを変換することで最適の移動通信サービスを使用者に提供する。
【００２５】
適切な移動通信網の活用のために、ＥＭＳ２６０が非同期移動通信システム２００を介して網切替メッセージをブロードキャスティングすると、上記非同期移動通信システム２００に接続している全てのＭＭ−ＭＢ端末機１００は、同期移動通信システム３００に再接続する。この時、上記ＭＭ−ＭＢ端末機１００は、上記非同期移動通信システム２００と音声呼連結中の場合と、パケット呼連結中の場合とに分けることができる。
【００２６】
まず、ＭＭ−ＭＢ端末機１００が非同期移動通信システム２００と音声呼連結中の場合、上記ＭＭ−ＭＢ端末機１００が上記網切替メッセージを受信すると、上記網切替メッセージに応じた一連の網切替過程を遂行する。即ち、音声呼連結の場合には、ハンドオーバーメッセージを通して網切替過程を遂行する。
【００２７】
また、ＭＭ−ＭＢ端末機１００が非同期移動通信システム２００とパケット呼連結中の場合、上記ＭＭ−ＭＢ端末機１００が上記網切替メッセージを受信すると、上記網切替メッセージに応じた一連の網切替過程を遂行する。即ち、パケット呼連結の場合には、サービス再発信（Service Redirection）機能を用いて移動通信サービスモードを切り替える。
サービス再発信メッセージ（Service Redirection Message）は、ＭＭ−ＭＢ端末機１００が同期移動通信システム３００にパケット呼を再発信するのに要求される周波数情報及びハンドオーバーを遂行するＢＴＳ／ＢＳＣ３１０のＰＮコード情報を含む。
【００２８】
このように構成された本発明の望ましい実施例による非同期網から同期網へのサービス切替のための移動通信サービス方法について、添付の図３乃至図４を参考に説明する。
【００２９】
図３は、本発明の望ましい実施例による非同期網から同期網へのサービス切替のための移動通信サービス方法を示すフローチャートであり、非同期移動通信システム２００とＭＭ−ＭＢ端末機１００とが音声呼連結中の場合の、同期移動通信システム３００へのサービス切替について説明する。
【００３０】
まず、非同期移動通信システム２００とＭＭ−ＭＢ端末機１００とが音声呼連結中の場合、ＥＭＳ２６０は上記非同期移動通信システム２００の障害有無を監視する（Ｓ３０１）。
【００３１】
段階Ｓ３０１の結果、上記ＥＭＳ２６０が非同期移動通信システム２００で障害を感知した場合、上記ＥＭＳ２６０は、同期移動通信システム３００への呼切替要請メッセージを、非同期移動通信システム２００内で音声呼設定中の全てのＭＭ−ＭＢ端末機１００にブロードキャスティングすることを、上記非同期移動通信システム２００に要請する（Ｓ３０２）。この時、上記呼切替メッセージは、移動通信サービスのモード切替のためのハンドオーバーメッセージを意味する。
【００３２】
続いて、上記非同期移動通信システム２００内で音声呼設定中のＭＭ−ＭＢ端末機１００が上記呼切替メッセージを受信すると、上記ＭＭ−ＭＢ端末機１００の共通モジュール１４０は、非同期モデム部１２３から同期モデム部１３３にトラフィック状態の遷移を要求する（Ｓ３０３〜Ｓ３０４）。
【００３３】
これに応じて、同期モデム部１３３は、トラフィック状態の遷移のために初期化を行い、同期移動通信システム３００と同期を合せるために逆方向トラフィックを伝送するなどのようなハンドオーバー過程を遂行した後、ハンドオーバーが完了したことを知らせるハンドオーバー完了メッセージを、同期移動通信システム３００の基地局に伝送する（Ｓ３０５）。
【００３４】
以後、上記ＭＭ−ＭＢ端末機１００と同期移動通信システム３００は、音声データを送受信して通話状態を維持する。
【００３５】
図４は、本発明の望ましい実施例による非同期網から同期網へのサービス切替のための移動通信サービス方法を示す別のフローチャートであり、非同期移動通信システム２００とＭＭ−ＭＢ端末機１００とがパケット呼連結中の場合の、同期移動通信システム３００へのサービス切替について説明する。
【００３６】
非同期移動通信システム２００とＭＭ−ＭＢ端末機１００とがパケット呼連結中の場合、ＥＭＳ２６０は非同期移動通信システム２００の状態を監視して障害有無を監視する（Ｓ４０１）。
【００３７】
上記ＥＭＳ２６０は、同期移動通信システム３００への呼切替要請メッセージを、非同期移動通信システム２００内でパケット呼設定中の全てのＭＭ−ＭＢ端末機１００にブロードキャスティングすることを、上記非同期移動通信システム２００に要請する（Ｓ４０２）。この時、上記呼切替要請メッセージは、移動通信サービスのモード切替のためのサービス再発信（Service Redirection）メッセージを意味する。
【００３８】
続いて、非同期移動通信システム２００は、サービス切替が行われるＢＴＳ／ＢＳＣ３１０の情報を含むサービス再発信メッセージを、上記ＭＭ−ＭＢ端末機１００に伝送する（Ｓ４０３）。望ましくは、上記ＭＭ−ＭＢ端末機１００の非同期モデム部１２３が上記メッセージを受信する。この時、上記サービス再発信メッセージは、上記ＭＭ−ＭＢ端末機１００が同期移動通信システム３００にパケット呼を再発信するのに要求される情報である周波数情報及びＰＮコード情報を含む。
【００３９】
続いて、上記ＭＭ−ＭＢ端末機１００が非同期移動通信システム２００から伝送されたサービス再発信メッセージを受信すると、非同期モデム部１２３が同期モデム部１３３に遊休状態への切替を要求して、以降、非同期移動通信システム２００から同期移動通信システム３００へのサービス切替を行うことができるようになる（Ｓ４０４）。これにより、同期モデム部１３３は、非同期モデム部１２３からの要請に応じてＬＰＭ（Low Power Mode）から遊休状態に遷移した後、同期移動通信システム３００のＢＴＳ／ＢＳＣ３１０のパイロットチャンネルと同期を合せる。
【００４０】
続いて、ＭＭ−ＭＢ端末機１００が、同期モデムを介して同期移動通信システム３００にパケット呼を再伝送する（Ｓ４０５）。これによって、上記ＭＭ−ＭＢ端末機１００と同期移動通信システム３００は、パケットデータを送受信してパケット呼設定状態を維持する。
【００４１】
このように、本発明の属する技術分野の当業者は、本発明がその技術的思想や必須的特徴を変更せずに他の具体的な形態で実施できることを理解できるだろう。従って、以上で記述した実施例はあらゆる面で例示的なものであり、限定的なものではないと理解しなければならない。本発明の範囲は、上記の詳細な説明よりは特許請求範囲によって示され、特許請求範囲の意味及び範囲、そしてその等価概念から導出される全ての変更又は変形された形態が、本発明の範囲に含まれるものと解釈すべきである。
【産業上の利用可能性】
【００４２】
本発明は、非同期網を基盤とする移動通信システムから同期網を基盤とする移動通信システムへのサービス切替を行う、非同期網と同期網との間のサービス切替のための移動通信サービスシステム及びその方法に関する。
【図面の簡単な説明】
【００４３】
【図１】本発明の望ましい実施例による移動通信サービスシステムを示す構成図である。
【図２】本発明の望ましい実施例によるＭＭ−ＭＢ端末機の構成図である。
【図３】本発明の望ましい実施例による非同期網から同期網へのサービス切替のための移動通信サービス方法を示すフローチャートである。
【図４】本発明の望ましい実施例による非同期網から同期網へのサービス切替のための移動通信サービス方法を示す別のフローチャートである。
【図１】
2007536782.tif 000003
【図２】
2007536782.tif 000004
【図３】
2007536782.tif 000005
【図４】
2007536782.tif 000006
【国際調査報告】
2007536782.tif 000007
2007536782.tif 000008